(57)【特許請求の範囲】
【請求項１】
水洗便器本体の排水路の出口端部と、床面より高い位置で壁面に設けられる排水管路の入口端部とを連通させる水洗便器の排水ソケット構造であって、
上記排水路の出口端部に連結される流入口、この流入口から連続する流路、及び、水平方向に向いて開口した上記流路の流出口を有する排水ソケット本体と、
この排水ソケット本体の上記流出口に連結される流入口、及び、この流入口から連続すると共に、上記排水管路の入口端部に連結され水平方向に向いて開口した流出口を有する排水口取付部と、を有し、
上記排水口取付部の流出口の水平軸線は、上記排水ソケット本体の流出口の水平軸線に対して偏心しており、上記排水口取付部は、上記排水ソケット本体の流出口の水平軸線回りで回動可能に上記排水ソケット本体に取り付けられ、
さらに、上記排水ソケット本体に取り付けられ、この排水ソケット本体を上記床面で支持するように上記床面に設置された支持部を有し、この支持部は上記ソケット本体の高さを調整する高さ調整部を有することを特徴とする水洗便器の排水ソケット構造。
【請求項２】
上記支持部は、上記支持部を上記床面に固定するための台座部を有し、この台座部は、上記支持部の軸線回りで回動可能に設けられている請求項１に記載の水洗便器の排水ソケット構造。
【請求項３】
上記排水ソケット本体又は上記排水口取付部には、上記排水口取付部の流出口と上記排水管路の入口端部との高さの誤差を吸収する高さ誤差吸収部を有する請求項１に記載の水洗便器の排水ソケット構造。
【請求項４】
上記排水路の出口端部の軸線及び上記排水ソケット本体の流入口の軸線はそれぞれ鉛直方向に延び、上記排水ソケット本体の流入口は上記排水路の出口端部に鉛直軸線回りで回動可能に取り付けられている請求項１乃至３のいずれか１項に記載の水洗便器の排水ソケット構造。
【請求項５】
さらに、上記排水ソケット本体に設けられ、この排水ソケット本体を上記床面で支持するように上記床面に設置された支持部を有し、この支持部は、上記排水ソケット本体に固定される第１支持部、及び、その下方で上記床面に固定される第２支持部を有し、この第２支持部は上記第１支持部に対してその軸線回りで回動可能に設けられている請求項４に記載の水洗便器の排水ソケット構造。
【発明の詳細な説明】
【技術分野】
【０００１】
本発明は、水洗便器の排水ソケット構造に係り、特に、壁面やトイレ内に上下方向に設置される縦排水管から分岐する床面より高い位置に設けられる排水管路の入口端部と水洗便器本体の排水路の出口端部とを連通させる水洗便器の排水ソケット構造に関する。
【背景技術】
【０００２】
従来、水洗便器の排水路を壁面の排水管路に接続するために、台座部に対する排水ソケットの高さをねじにより調整可能にした排水ソケットが知られている（特許文献１）。
また、水洗便器の排水路を床面の排水管路に接続するために、排水ソケットを水洗便器に対して反転させて、異なる位置に設けられた床面の排水管路に合わせられるようにした排水ソケットが知られている（特許文献２）。
【０００３】
【特許文献１】特開２００５−４８４０７号公報
【特許文献２】特許３０８９５３５号
【発明の開示】
【発明が解決しようとする課題】
【０００４】
しかしながら、特許文献１に記載の排水ソケットでは、１つのソケットで種々の排水芯高さに対応出来る点で優れているものの、高さの調整手段が複雑になる点で改良の余地があった。
また、特許文献２に記載の排水ソケットでは、下方を向く排水路と、床面の排水管路とを直結するものであり、排水ソケット全体が反転されることで、流路も大きく異なることから、２つの排水管路設置位置での排出性能を確保することが難しく、また、排水ソケット全体を反転させる構成は、壁面に設けられた排水管路への接続は不可能なものであった。
【０００５】
本発明は、上述した従来技術の問題点を解決するためになされたものであり、水洗便器の側方にある排水管路への位置決めを容易に行うことが出来る水洗便器の排水ソケット構造を提供することを目的とする。
【課題を解決するための手段】
【０００６】
上記の目的を達成するために本発明は、水洗便器本体の排水路の出口端部と、床面より高い位置で壁面に設けられる排水管路の入口端部とを連通させる水洗便器の排水ソケット構造であって、排水路の出口端部に連結される流入口、この流入口から連続する流路、及び、水平方向に向いて開口した流路の流出口を有する排水ソケット本体と、この排水ソケット本体の流出口に連結される流入口、この流入口から連続すると共に、排水管路の入口端部に連結され水平方向に向いて開口した流出口を有する排水口取付部と、を有し、排水口取付部の流出口の水平軸線は、排水ソケット本体の流出口の水平軸線に対して偏心しており、排水口取付部は、排水ソケット本体の流出口の水平軸線回りで回動可能に排水ソケット本体に取り付けられ、さらに、排水ソケット本体に取り付けられ、この排水ソケット本体を床面で支持するように床面に設置された支持部を有し、この支持部はソケット本体の高さを調整する高さ調整部を有することを特徴としている。
【０００７】
このように構成された本発明においては、排水ソケット本体が、排水路の出口端部に連結される流入口、この流入口から連続する流路、及び、水平方向に向いて開口した流路の流出口を有する。そして、排水口取付部は、排水ソケット本体の流出口に連結される流入口、及び、排水管路の入口端部に連結され水平方向に向いて開口した流出口を有する。そして、排水口取付部の流出口の水平軸線は、排水ソケット本体の流出口の水平軸線に対して偏心しており、排水口取付部は、排水ソケット本体の流出口の水平軸線回りで回動可能に排水ソケット本体に取り付けられている。
従って、そのように偏心した流出口を有する排水口取付部を回動させることにより、排水口取付部の流出口の排水芯高さを変更して、下方位置と上方位置の２段階に調節することが出来る。特に、壁面へ向かう部分の排水の流路構成は、水洗便器の性能上重要であり、本発明では、排水ソケット本体から排水口取付部へ流路が連続することを確保しつつ、排水芯高さが異なる場合でも、排水口取付部を回動させて、異なる高さでも排水性能を効果的に確保することが出来る。
【０００８】
また、本発明においては、さらに、排水ソケット本体に取り付けられ、この排水ソケット本体を床面で支持するように床面に設置された支持部を有し、この支持部はソケット本体の高さを調整する高さ調整部を有するので、異なる排水芯高さの管路への排水経路を構成させる場合、大まかな排水芯高さは、上述したように排水口取付部を回動させることにより変更して、下方位置と上方位置の２段階に調節し、排水芯高さの微修正或いは誤差を吸収するには、高さ調整部を利用することが出来る。
【０００９】
また、本発明において、好ましくは、支持部は、支持部を床面に固定するための台座部を有し、この台座部は、支持部の軸線回りで回動可能に設けられている。
このように構成された本発明においては、台座部が支持部の軸線回りで回動可能に設けられているので、例えば、予め形成された台座部のねじ孔と、床面に形成されたねじ孔との位置合わせが容易となる。
【００１０】
また、本発明において、好ましくは、排水ソケット本体又は排水口取付部には、排水口取付部の流出口と排水管路の入口端部との高さの誤差を吸収する高さ誤差吸収部を有する。
このように構成された本発明においては、異なる排水芯高さの管路への排水経路を構成させる場合、大まかな排水芯高さは、上述したように排水口取付部を回動させることにより変更して、下方位置と上方位置の２段階に調節し、排水芯高さの微修正或いは誤差を吸収するには、高さ誤差吸収部を利用することが出来る。
【００１１】
また、本発明において、好ましくは、排水路の出口端部の軸線及び排水ソケット本体の流入口の軸線はそれぞれ鉛直方向に延び、排水ソケット本体の流入口は排水路の出口端部に鉛直軸線回りで回動可能に取り付けられている。
このように構成された本発明においては、排水口取付部を後方だけでなく、左方或いは右方に向けて、左右いずれかにある排水管路にも対応できる。
【発明の効果】
【００１２】
本発明によれば、水洗便器の側方にある排水管路への位置決めを容易に行うことが出来る。
【発明を実施するための最良の形態】
【００１３】
以下、本発明の実施形態を添付図面を参照して説明する。
先ず、図１及び図２により、本発明の第１実施形態による水洗便器の排水ソケット構造の配置及び構成を説明する。図１は、本発明の第１実施形態による水洗便器の排水ソケット構造が適用された水洗便器及び壁部の排水管路を示す全体縦断面図であり、図２は、本発明の第１実施形態による水洗便器の排水ソケット構造の第１の位置にある場合の縦断面図であり、図３は、本発明の第１実施形態による水洗便器の排水ソケット構造の第２の位置にある場合の縦断面図である。
【００１４】
先ず、図１に示すように、床面Ｆ上には、水洗便器１の水洗便器本体２が固定されており、壁面Ｗには、この水洗便器本体２の排水を排出するための管路Ｄが設けられている。床面Ｆから管路Ｄの中心までの距離（排水心高さ）は、便器を施工する現場で種々の高さがあり、例えば、９０〜１５５ｍｍまでの間で変動する。本実施形態では、排水心高さ１２０ｍｍと１５５ｍｍの施工現場に好適な構造で説明する。
【００１５】
水洗便器本体２は、ボウル部４と、このボウル部４の底部から斜め上方に延びる入口管路６と、この入口管路６と連通して下方に延び、鉛直下方に向かって開口する排水路８と、この排水路８の出口端部１０とを有する。このように出口端部を鉛直下方に向かって開口させるような排水路としておくことで、水洗便器本体を壁排水、床排水のいずれにも適用できるので、便器本体の共有化を図るためには、望ましいものである。そして、本発明の実施形態による排水ソケット２０が、この出口端部１０と管路Ｄとを連通するように設けられている。排水ソケット２０は、塩化ビニール等のプラスチック材料で構成される。
【００１６】
図２及び図３に示すように、排水ソケット２０は、排水ソケット本体２２と、この排水ソケット本体２２の上方に設けられ鉛直上方に向けて開口した円筒状の流入口部２４、鉛直方向から水平方向へと直角方向に曲がって延びる流路２６、および、排水ソケット本体２２の側方に設けられ水平方向に向けて開口した円筒状の流出口部２８とを有する。流入口部２４には、出口端部１０と流入口部２４との間にゴムパッキン３０が取り付けられている。このように、便器の排水路８の出口端部１０は、ゴムパッキン３０を介して流入口部２４に挿入されて接続されている。
【００１７】
次に、排水ソケット本体２２には、排水ソケット本体２２を床面Ｆで支持するための支持部３２が取り付けられている。本実施形態の場合には、排水ソケット２２と一体成型されて形成されている。この支持部３２は、排水ソケット本体２２に直接取り付けられる第１部分３２ａ、その下方で第１部分３２ａより径方向の寸法が大きく形成された第２部分３２ｂ、及び、床面Ｆにボルトなどで固定するために設けられた台座部３２ｃとを有する。第１部分３２ａ、第２部分３２ｂ及び台座部３２ｃは一体成型されている。
【００１８】
次に、排水ソケット本体２２の流出口部２８には、排水口取付部（流入口部）４０が取り付けられている。この排水口取付部４０は、流出口部２８に挿入される第１円筒部分４０ａと、この第１円筒部分４０ａより壁面Ｗ側に設けられた第２円筒部分（流出口部）４０ｂとを有する。
第１円筒部分４０ａは、水平方向に延びる中心軸線Ａを有し、この中心軸線Ａは、排水ソケット本体２２の流出口部２８の中心軸線と一致する。従って、排水口取付部４０の第１円筒部分４０ａが、排水ソケット本体２２の流出口部２８に対して回転し、それにより、排水口取付部４０が回動するようになっている。
【００１９】
このような第１円筒部４０ａに対して、第２円筒部４０ｂは、水平方向に延びる中心軸線Ｂを有している。図２及び図３に示すように、この中心軸線Ｂは、中心軸線Ａに対して、所定量ｅだけ偏心している。従って、図２及び図３を比べれば分かるように、排水口取付部４０が流出口部２８に対して回動することにより、図２に示す下方位置（第１位置）と、図３に示す上方位置（第２位置）とをとることが出来る。
【００２０】
本実施形態では上述したように、排水心高さ１２０ｍｍと１５５ｍｍの施工現場に好適な構造で説明しており、図２に示すときの排水芯高さ、即ち、軸線Ｂの床面Ｆからの高さは１２０ｍｍとなっており、図３に示すときの排水芯高さ、即ち、軸線Ｂの床面Ｆからの高さは１５５ｍｍとなっている。従って、偏心量ｅは、本実施形態の場合、１７．５ｍｍである。そして、図２及び図３に示すように、排水芯高さの異なる壁面Ｗの管路Ｄに、それぞれ、第２円筒部分４０ｂが挿入されて接続されるようになっている。
【００２１】
次に、第１実施形態の作用効果を説明する。
第１実施形態では、排水ソケット本体２２が、排水路８の出口端部１０に連結される流入口部２４、この流入口部２４から連続する流路２６、及び、水平方向に向いて開口した上記流路の流出口部２８を有する。そして、排水口取付部４０は、排水ソケット本体２２の流出口部２８に連結される第１円筒部分（流入口部）４０ａ、及び、排水管路Ｄに連結され水平方向に向いて開口した第２円筒部分（流出口部）４０ｂを有する。そして、排水口取付部４０の第２円筒部分４０ｂの水平軸線Ｂは、排水ソケット本体２２の流出口部２８及び第１円筒部分４０ａの水平軸線Ａに対して偏心しており、排水口取付部４０は、排水ソケット本体２２の流出口部２８の水平軸線Ａ回りで回動可能に排水ソケット本体２２に取り付けられている。
【００２２】
従って、排水口取付部４０を回動させることにより、排水口取付部の第２円筒部分４０ｂの排水芯高さを、下方位置（本実施形態では１２０ｍｍ）と上方位置（本実施形態では１５５ｍｍ）の２段階に調節することが出来る。特に、壁面Ｗへ向かう部分の排水の流路構成は、水洗便器の性能上重要であり、その性能を確保するために排水ソケット本体２２及び排水口取付部４０を設けている。即ち、排水ソケット本体２２から排水口取付部４０へ流路が連続するようにしつつ、排水芯高さが異なる場合でも、排水口取付部４０を回動させて、異なる高さでも排水性能を効果的に確保することが出来る。
【００２３】
次に、図６により、本発明の第２実施形態及びその変形例による水洗便器の排水ソケット構造の配置及び構成を説明する。図４は、本発明の第２実施形態による水洗便器の排水ソケット構造の第１の位置にある場合の縦断面図であり、図５は、本発明の第２実施形態による水洗便器の排水ソケット構造の第２の位置にある場合の縦断面図であり、図６は、本発明の第２実施形態の変形例による水洗便器の排水ソケット構造の縦断面図である。
第２実施形態は、第１実施形態と比べて、支持部３２の構成が異なるのみで、他の構成は上述した第１実施形態と同じである。従って、ここでは、主に第１実施形態と異なる構成についてのみ説明する。
【００２４】
図４及び図５に示すように、第２実施形態においても、第１実施形態と同様に、排水口取付部４０の第２円筒部分４０ｂの水平軸線Ｂは、排水ソケット本体２２の流出口部２８及び第１円筒部分４０ａの水平軸線Ａに対して偏心しており、排水口取付部４０は、排水ソケット本体２２の流出口部２８の水平軸線回りで回動可能に排水ソケット本体２２に取り付けられている。そして、排水口取付部４０が流出口部２８に対して回動することにより、図４に示す下方位置と、図５に示す上方位置（第２位置）とをとることが出来る。
【００２５】
そして、第２実施形態では、支持部３２の第１部分３２ａの下方部分に雄ねじ３４ｓが形成され、支持部３２の第２部分３２ｂの上方部分に雄ねじ３４ｓと螺合する雌ねじ３６ｓが形成されている。従って、第２の部分３２ｂは、第１の部分３２ａに対して回動可能且つ上下可能となっている。
次に、図６に示す変形例では、第２実施形態の雄ねじ３４ｓ及び雌ねじ３６ｓに加え、支持部３２の台座部３２ｃと第２部分３２ｂとが、互いに摺動するための摺動部３８を有し、台座部３２ｃが第２部分３２ｂに対して回動可能になっている。
【００２６】
次に、第２実施形態及びその変形例の作用効果を説明する。
先ず、第２実施形態は、第１実施形態と同様に、排水口取付部４０を回動させることにより、排水口取付部の第２円筒部分４０ｂの排水芯高さを、下方位置と上方位置の２段階に調節することが出来る。
【００２７】
そして、第２実施形態では、支持部３２の第１部分３２ａの下方部分に雄ねじ３４ｓが形成され、支持部３２の第２部分３２ｂの上方部分に雄ねじ３４ｓと螺合する雌ねじ３６ｓが形成されているので、第２の部分３２ｂを第１の部分３２ａに対して回動させることにより第１の部分３２ａを上下させて、排水ソケット本体２２の高さを調整することが出来る。その結果、異なる排水芯高さの管路Ｄへの排水経路を構成させる場合、大まかな排水芯高さの変更は、排水口取付部４０を回動させることにより行うことで、下方位置と上方位置の２段階に調節し、排水芯高さの微修正或いは誤差を吸収するには、第２部分３２ｂを回動させることにより、排水ソケット本体２２の高さを調整すれば良い。
【００２８】
さらに、第２実施形態の変形例によれば、支持部３２の台座部３２ｃと第２部分３２ｂとの間に摺動部３８が形成され、台座部３２ｃが第２部分３２ｂに対して回動可能になっている。従って、第２部分３２ｂを回動させたとしても、例えば、支持部３２を床面Ｆに固定するために設けられる予め形成された台座部３２ｃのねじ孔（図示せず）と、床面Ｆに形成されたねじ孔（図示せず）との位置合わせが容易となる。
【００２９】
次に、図７により、本発明の第３実施形態による水洗便器の排水ソケット構造の配置及び構成を説明する。図７は、本発明の第３実施形態による水洗便器の排水ソケット構造の縦断面図である。
第３実施形態は、第１実施形態と比べて、排水ソケット本体２２の構成が異なるのみで、他の構成は上述した第１実施形態と同じである。従って、ここでは、主に第１実施形態と異なる構成についてのみ説明する。
【００３０】
図７に示すように、第３実施形態においても、第１実施形態と同様に、排水口取付部４０の第２円筒部分４０ｂの水平軸線Ｂは、排水ソケット本体２２の流出口部２８及び第１円筒部分４０ａの水平軸線Ａに対して偏心しており、排水口取付部４０は、排水ソケット本体２２の流出口部２８の水平軸線回りで回動可能に排水ソケット本体２２に取り付けられている。そして、排水口取付部４０が流出口部２８に対して回動することにより、図７に示す下方位置と、図７に仮想線で示す上方位置（第２位置）とをとることが出来る。
【００３１】
そして、第３実施形態では、排水ソケット本体２２の流出口部２８の上流側に隣接して高さ誤差吸収部５０が形成されている。この高さ誤差吸収部５０は、ゴム製或いは金属製の蛇腹構造となっており、本実施形態では、排水ソケット本体２２の流路２６の側と、流出口部２８の側との高さの差をある程度吸収するようになっている。
【００３２】
次に、第３実施形態の作用効果を説明する。
先ず、第３実施形態は、第１実施形態と同様に、排水口取付部４０を回動させることにより、排水口取付部の第２円筒部分４０ｂの排水芯高さを、下方位置と上方位置の２段階に調節することが出来る。
【００３３】
そして、第３実施形態では、排水ソケット本体２２に高さ誤差吸収部５０が形成されており、排水ソケット本体２２の流路２６の側と、流出口部２８の側との高さの差が吸収可能に構成されている。従って、異なる排水芯高さの管路Ｄへの排水経路を構成させる場合、大まかな排水芯高さの変更は、排水口取付部４０を回動させることにより行って、下方位置と上方位置の２段階に調節し、排水芯高さの微修正或いは誤差を吸収するには、高さ誤差吸収部５０の機能を利用すれば良い。
【００３４】
次に、図８及び図９により、本発明の第４実施形態による水洗便器の排水ソケット構造の配置及び構成を説明する。図８は、本発明の第４実施形態による水洗便器の排水ソケット構造の縦断面図であり、図９は、本発明の第４実施形態による水洗便器を背面から見た背面図である。
第４実施形態は、第１実施形態と比べて、支持部３２の構成が異なる。そして、ここでは、排水ソケット本体２２と排水路８の出口端部１０の構成は同じであるが排水ソケット本体２２が、排水路８の出口端部１０に対して回動可能に構成されていることを説明する。他の構成は上述した第１実施形態と同じである。従って、ここでは、主に第１実施形態と異なる構成についてのみ説明する。
【００３５】
図８に示すように、第４実施形態においても、第１実施形態と同様に、排水口取付部４０の第２円筒部分４０ｂの水平軸線Ｂは、排水ソケット本体２２の流出口部２８及び第１円筒部分４０ａの水平軸線Ａに対して偏心しており、排水口取付部４０は、排水ソケット本体２２の流出口部２８の水平軸線回りで回動可能に排水ソケット本体２２に取り付けられている。そして、排水口取付部４０が流出口部２８に対して回動することにより、図８に示す下方位置と、図８に仮想線で示す上方位置（第２位置）とをとることが出来る。
【００３６】
そして、第４実施形態では、排水路８の出口端部１０の軸線及び排水ソケット本体２２の流入口部２４の軸線がそれぞれ鉛直方向に延び、排水ソケット本体２２の流入口部２４が排水路８の出口端部１０に鉛直軸線回りで回動可能になっている。即ち、流入口部２４と出口端部１０との間には、ゴムパッキン３０が設けられているが、このゴムパッキン３０により、流入口部２４が出口端部１０に対して回動することが出来るのである。なお、このような構成は、上述した第１乃至第３実施形態でも同様である。
【００３７】
次に、第４実施形態では、図８に示すように、支持部３２の第１部分３２ａと第２部分３２ｂとが互いに回動するための摺動部３９を有する。従って、第１部分３２ａが第２部分３２ｂに対して回動可能になっている。なお、第１部分３２ａは排水ソケット本体２２に固定されている。
【００３８】
次に、第４実施形態の作用効果を説明する。
先ず、第４実施形態は、第１実施形態と同様に、排水口取付部４０を回動させることにより、排水口取付部の第２円筒部分４０ｂの排水芯高さを、下方位置と上方位置の２段階に調節することが出来る。
【００３９】
そして、第４実施形態では、流入口部２４が出口端部１０に対して回動することが出来るので、図９に示すように、排水口取付部４０を左方或いは右方に向けることが出来る。ここで、例えば、トイレの入口奥のコーナーの床面Ｆから天井側に抜けるように配置される縦排水管から排水管路を分岐させるような場合には、管路Ｄが水洗便器１の左方或いは右方にあり、排水口取付部４０が便器の後ろの壁面側でなく、便器の右又は左側面に向いて固定される場合がある。従って、第４実施形態では、このような場合に、排水口取付部４０を左方或いは右方に向けて管路Ｄに接続することが出来るので、管路Ｄが水洗便器に対して真後ろではなく左右いずれかにある場合にも対応できるものであり、マンションなどに多い縦排水管を有するトイレにも効果的に利用できる。なお、排水口取付部４０を水洗便器１から斜め後方に向けることも可能である。
【００４０】
また、第４実施形態では、第１部分３２ａと第２部分３２ｂとが互いに回動可能になるように摺動部３９が設けられている。従って、排水口取付部４０を回動させても、第２部分３２ｂを床面Ｆに対して自由な位置に回動させることが出来るので、例えば、予め形成され支持部３２を床面Ｆに固定するために設けられる台座部３２ｃのねじ孔（図示せず）と、床面Ｆに形成されたねじ孔（図示せず）との位置合わせが容易となる。
【００４１】
そして、このように排水口取付部４０を左右に向けることが出来るようにするために、図９に示すように、水洗便器の種々の制御を行う機能部６０を水洗便器の少なくとも排水路８の出口端部１０の上方に設置するようにしている。
【図面の簡単な説明】
【００４２】
【図１】本発明の第１実施形態による水洗便器の排水ソケット構造が適用された水洗便器及び壁部の排水管路を示す全体縦断面図である。
【図２】本発明の第１実施形態による水洗便器の排水ソケット構造の第１の位置にある場合の縦断面図である。
【図３】本発明の第１実施形態による水洗便器の排水ソケット構造の第２の位置にある場合の縦断面図である。
【図４】本発明の第２実施形態による水洗便器の排水ソケット構造の第１の位置にある場合の縦断面図である。
【図５】本発明の第２実施形態による水洗便器の排水ソケット構造の第２の位置にある場合の縦断面図である。
【図６】本発明の第２実施形態の変形例による水洗便器の排水ソケット構造の縦断面図である。
【図７】本発明の第３実施形態による水洗便器の排水ソケット構造の縦断面図である。
【図８】本発明の第４実施形態による水洗便器の排水ソケット構造の縦断面図である。
【図９】本発明の第４実施形態による水洗便器を背面から見た背面図である。
【００４３】
Ａ  第１円筒部分４０ａ及び流出口部２８の中心軸線
Ｂ  第２円筒部分４０ｂの中心軸線
ｅ  軸線Ａと軸線Ｂの偏心量
Ｄ  管路
Ｗ  壁面
１  水洗便器
２  水洗便器本体
８  排水路
１０  出口端部
２０  排水ソケット
２２  排水ソケット本体
２４  流入口部
２６  流路
２８  流出口部
３０  ゴムパッキン
３２  支持部
３２  第２円筒部
３２ａ  第１部分
３２ｂ  第２部分
３２ｃ  台座部
３４ｓ  雄ねじ
３６ｓ  雌ねじ
３８  摺動部
３９  摺動部
４０  排水口取付部
４０ａ  第１円筒部分
４０ｂ  第２円筒部分
５０  高さ誤差吸収部
【図１】
0005077811.tif 000002
【図２】
0005077811.tif 000003
【図３】
0005077811.tif 000004
【図４】
0005077811.tif 000005
【図５】
0005077811.tif 000006
【図６】
0005077811.tif 000007
【図７】
0005077811.tif 000008
【図８】
0005077811.tif 000009
【図９】
0005077811.tif 000010